(57)【要約】【解決の手段】本発明は、作動力を与える上下作動体と、印字体とを収納した印判を、上端が開口し底面にスタンプパッドを有する印判収納部を備えたスタンドに載置させたスタンド付き印判において、上下作動体下端前記目的を達成するため、捺印数を連続式にカウントするカウンターと、カウンターに対して縁を印字体の印字面以下に位置させると共に、印判収納部底面に設けたスタンプパッド上面と上下作動体下端縁が当接しないように、上下作動体下端縁を収納する上下作動体収納穴を印判収納部底面に設けたことを特徴とするスタンド付き印判である。【効果】印字体が転写捺印タイプであっても、インキを付着させる動作時は捺印回数として加算されず印字面が被捺印面に当接した時のみカウントされるスタンド付き印判を提供する。【選択図】図２
2005238536.tif 000002
【特許請求の範囲】
【請求項１】
捺印数を連続式にカウントするカウンターと、カウンターに対して作動力を与える上下作動体と、印字体とを収納した印判を、上端が開口し底面にスタンプパッドを有する印判収納部を備えたスタンドに載置させたスタンド付き印判において、上下作動体下端縁を印字体の印字面以下に位置させると共に、印判収納部底面に設けたスタンプパッド上面と上下作動体下端縁が当接しないように、上下作動体下端縁を収納する上下作動体収納穴を印判収納部底面に設けたことを特徴とするスタンド付き印判。
【発明の詳細な説明】
【技術分野】
【０００１】
本発明は、捺印操作に連動して捺印数を連続的にカウントするスタンド付き印判に関するものである。
【背景技術】
【０００２】
印判には、連続して捺印した回数が自動的にカウントされるように構成されたカウンター連動式印判が既に開発されている。例えば実公昭５３−３２６５７号（以下、(イ)とする。）、実公平１−３１４９９号（以下、(ロ)とする。）が知られている。(イ)と(ロ)は、カウンターのノック部が、鞘体の上方部または鞘体の上昇に伴い連動して押し上げられる止め板によって押圧されるように構成されているため、印字面が被捺印面に当接する毎に自動的にカウントされる。
一方、実公平５−２０５３４号（以下、(ハ)とする。）が知られている。(ハ)はカウンター回路を利用した押し印で、印面部が被捺印面に当接する毎に自動的にカウントされる。もし印面部が被捺印面に当接するにも拘わらず押し印動作の回数を加算する必要がない場合には、回数のカウントを止める常閉スイッチを押しながら回数を加算せずに押し印することができる。
【特許文献１】実公昭５３−３２６５７号
【特許文献２】実公平１−３１４９９号
【特許文献３】実公平５−２０５３４号
【発明の開示】
【発明が解決しようとする課題】
【０００３】
しかし、前記 (イ)と(ロ)は印字面が被捺印面に当接する毎に自動的にカウントされるため、スタンプパッド等を使用して印字面にインキを付着させて捺印する所謂転写捺印タイプでは、インキを付着させる動作も捺印回数として加算されてしまう。そのため、印字体はインキが予め含浸されている所謂浸透印タイプである必要がある。
また、 (ハ)は回数を加算する必要がない場合のために常閉スイッチが設けられているため印字体が転写捺印タイプでも可能であるが、インキを付着させる時に常閉スイッチを押し、捺印時に常閉スイッチを離す作業が必要となり、その煩雑さは本来の自動化の目的に反する。
【０００４】
本発明は、上記従来技術の問題点に着目してなされたもので、印字体が転写捺印タイプであっても、インキを付着させる動作時は捺印回数として加算されず印字面が被捺印面に当接した時のみカウントされるスタンド付き印判を提供することを目的とする。
【課題を解決するための手段】
【０００５】
本発明は、作動力を与える上下作動体と、印字体とを収納した印判を、上端が開口し底面にスタンプパッドを有する印判収納部を備えたスタンドに載置させたスタンド付き印判において、上下作動体下端前記目的を達成するため、捺印数を連続式にカウントするカウンターと、カウンターに対して縁を印字体の印字面以下に位置させると共に、印判収納部底面に設けたスタンプパッド上面と上下作動体下端縁が当接しないように、上下作動体下端縁を収納する上下作動体収納穴を印判収納部底面に設けたことを特徴とするスタンド付き印判である。
【発明の効果】
【０００６】
本発明は印判収納部底面に上下作動体収納穴を設けているため、印判をスタンドに立たせた状態で印字面にインキを付着させる時は、上下作動体の下端縁が上下作動体収納穴に収まり印判収納部底面と当接しない。そのため、カウンターに取付けられた上下作動体は上方に押し上げられることがなく、カウンターに回数は加算されない。一方捺印時には、上下作動体の下端縁が印字面以下にあるよう設けてあるため、上下作動体の下端縁が被捺印面に当接し上下作動体が上方に押し上げられ、カウンターが作動して捺印数が連続的にカウントされる。
また上下作動体が連動部材に止着されている場合においても、連動部材の下端を収納する連動部材収納穴を設けているため、インキを付着させる時は連動部材の下端縁が連動部材収納穴に収まり印判収納部底面と当接しない。そのため、カウンターに取付けられた上下作動体は上方に押し上げられることがなく、カウンターに回数は加算されない。一方捺印時には、連動部材の下端縁が印字面以下にあるよう設けてあるため、連動部材の下端縁が被捺印面に当接し上方に押し上げられると、この上下動に連動してカウンターに取付けられた上下作動体が上方に押し上げられ、カウンターが作動して捺印数が連続的にカウントされる。
【発明を実施するための最良の形態】
【０００７】
以下本発明の第１の実施例を図１、図２、図３、図４を基に詳細に説明する。
印判主体１は、印字体２を嵌装した内筒３とからなる。ここで、印字体２としては、原料ゴム、加硫剤、充填剤、軟化剤、着色剤、老化防止剤、その他の添加剤などから構成されるゴム印や、インキを吸蔵できる様にスポンジゴム等の無数の連続気孔を有した多孔性印材を用いることができる。
印判主体１は下端が開口したホルダー５の下端に取付ける。ホルダー５の下端外周部に上端と下端が開口した筒状のガイド１５を設ける。ホルダー５の外側側面にカウンター表示部８１が外に見える方向でカウンター８を取付ける。カウンター８は公知機構の一駒宛廻動積算できるもので、カウンター８に取付けられた上下作動体９によって、送り歯がラチェット式に桁送り歯車を回動させることにより桁送りが行われる。上下作動体９はホルダー５の下端外周部に設けたガイド１５に遊挿し、常時は上下作動体下端縁９１が印字面以下に位置するように設ける。ガイド１５の形状は上下作動体９に対応し上下作動体９が摺動可能であればよい。上下作動体９は上下作動体下端縁９１が被捺印面１７と当接し上昇することにより、カウンター８に対して作動力を与える。上下作動体９の形状は角柱形状、円柱形状が好ましいが特に限定されるものではない。カウンター８にはカウントした数字を戻すリセットツマミ８２が設けられている。
【０００８】
印判主体１をホルダー５の下端に取付けた印判は、上端が開口し底面にスタンプパッド１１を内蔵する印判収納部１３を備えた筒状のスタンド１０に載置させる。印判収納部１３は印判の印面に合わせて丸型、角型等の形状を自由に取ることが出来る。スタンプパッド１１はインキ含侵可能なインキ吸蔵体である。材質は、フェルト、合成樹脂からなる多孔質体、セラミックの多孔質体、金属焼結からなる多孔質体等、インキを含侵保持できる材質・構造であれば本発明には使用可能である。
スタンド１０上端周縁にガイド収納切欠１６を設ける。ガイド収納切欠１６は、スタンド１０の上端周縁を一部切り欠き、形状はホルダー５に設けたガイド１５に対応させる。またガイド収納切欠１６の下端から印判収納部１３の内壁沿いに底面に向かって上下作動体収納溝１４を設ける。上下作動体収納溝１４の下端底面には、上下作動体下端縁９１と印判収納部１３の底面とが当接しない深さに上下作動体収納穴１４ａを設ける。上下作動体収納溝１４の形状は上下作動体の形状に対応させる。
【０００９】
本発明の第１の実施例は以上のような構造であり、次にその作用について詳細に説明する。本発明第１の実施例のスタンド付き印判は、未使用時は印判をスタンド１０に立たせた状態で保持する。使用に際して、まず印判をスタンド１０に立たせた状態でホルダー５を下方に押圧する。この動作によりホルダー５の下端に取付けられた印字面２１はスタンプパッド１１に数回押圧され、印字面２１にインキが付着する。印字面２１にインキを付着させる時は、上下作動体９の上下作動体下端縁９１が上下作動体収納溝１４に収まり印判収納部１３の底面と当接しない。そのためカウンター８に取付けられた上下作動体９は上方に押し上げられることがなく、カウンター９に回数は加算されない。印字面２１にインキを付着させた後、印判を印判収納部１３から取出し被捺印面１７に対してホルダー５を下方に押圧させることにより印面が被捺印面１７に当接して捺印が可能となる。その際上下作動体下端縁９１が被捺印面１７に当接するため上下作動体９は上方に押し上げられ、カウンター８が作動して捺印数が連続的にカウントされる。
【００１０】
次に本発明の第２の実施例を図５、図６、図７、図８を基に詳細に説明する。
印判主体１は、印字体２を嵌装した略凸形状の内筒３とその内筒３の下部を内装した略筒形状の連動部材４からなる。ここで、印字体２としては、原料ゴム、加硫剤、充填剤、軟化剤、着色剤、老化防止剤、その他の添加剤などから構成されるゴム印や、インキを吸蔵できる様にスポンジゴム等の無数の連続気孔を有した多孔性印材を用いることができる。印判主体１は下端が開口したホルダー５の下端に取付ける。常時には、連動部材４はホルダー５との間に取付けたスプリング６によって下方に弾発されているため、連動部材４の連動部材下端縁４１が印字面２１以下にあるよう印字体２を被装している。連動部材４は、スプリング６の弾発力を利用して上下動自在である。前記ホルダー５にはカウンター窓７を設け、カウンター窓７からカウンター表示部８１が外に見える方向でカウンター８を内蔵する。カウンター８は公知機構の一駒宛廻動積算できるもので、カウンター８に取付けられた上下作動体９によって、送り歯がラチェット式に桁送り歯車を回動させることにより桁送りが行われる。また、カウンター８にはカウントした数字を戻すリセットツマミ８２が設けられており、このツマミ８２はホルダー５の外側に突出させる。上下作動体９は、連動部材４の上面凹みと上下作動体下端縁９１で止着されているため、連動部材４の上昇とともに押圧されることによって、カウンター８に対して作動力を与える。
【００１１】
印判主体１をホルダー５の下端に取付けた印判は、上端が開口し底面にスタンプパッド１１を内蔵する印判収納部１３を備えた筒状のスタンド１０に載置させる。ここで、スタンプパッド１１はインキ含侵可能なインキ吸蔵体である。材質は、フェルト、合成樹脂からなる多孔質体、セラミックの多孔質体、金属焼結からなる多孔質体等、インキを含侵保持できる材質・構造であれば本発明には使用可能である。
印判収納部１３は印判の印面に合わせて丸型、角型等の形状を自由に取ることが出来る。印判収納部１３底面には、内蔵したスタンプパッド１１の外周外側に連動部材収納穴１２を設ける。連動部材収納穴１２は、印判をスタンドに載置した際に連動部材下端縁４１が印判収納部１３の底面と当接しない深さに設ける。
【００１２】
本発明の第２の実施例は以上のような構造であり、次にその作用について詳細に説明する。本発明第２の実施例のスタンド付き印判は、未使用時は印判をスタンド１０に立たせた状態で保持する。使用に際して、まず印判をスタンド１０に立たせた状態でホルダー５を下方に押圧する。この動作によりホルダー５の下端に取付けられた印字面２１はスタンプパッド１１に数回押圧され、印字面２１にインキが付着する。印字面２１にインキを付着させる時は、連動部材下端縁４１が連動部材収納穴１２に収まり印判収納部１３の底面と当接しない。そのためカウンター８に取付けられた上下作動体９は上方に押し上げられることがなく、カウンター８に回数は加算されない。
印字面２１にインキを付着させた後、印判を印判収納部１３から取出し被捺印面１７に対してホルダー５を下方に押圧させることにより、内筒３がスプリング６の付勢に抗して下降し、内筒３の下端面に設けられた印字面２１が被捺印面１７に当接して捺印が可能となる。そして捺印時には連動部材４が上下動するので、この上下動に連動してカウンター８に取付けられた上下作動体９が上方に押し上げられ、カウンター８が作動して捺印数が連続的にカウントされる。
【００１３】
なお、本発明を前記第１の実施例及び第２の実施例により説明したが、本発明はこれらの実施例に限定されるものではない。
【図面の簡単な説明】
【００１４】
【図１】第１の実施例に係るスタンド付き印判の斜視図
【図２】図１のＡ−Ａ断面図
【図３】第１の実施例に係るスタンドの中央縦断面図
【図４】第１の実施例において被捺印面へ捺印した状態を示した印判の中央縦断面図
【図５】第２の実施例に係るスタンド付き印判の一部切欠断面図
【図６】図５の右下部拡大断面図
【図７】第２の実施例に係るスタンドの一部切欠断面図
【図８】第２の実施例において被捺印面へ捺印した状態を示した印判の一部切欠断面図
【符号の説明】
【００１５】
１      印判主体
２      印字体
２１      印字面
３      内筒
４      連動部材
４１      連動部材下端縁
５      ホルダー
６      スプリング
７      カウンター窓
８      カウンター
８１      カウンター表示部
８２      リセットツマミ
９      上下作動体
９１      上下作動体下端縁
１０      スタンド
１１      スタンプパッド
１２      連動部材収納穴
１３      印判収納部
１４      上下作動体収納溝
１４ａ      上下作動体収納穴
１５      ホルダー
１６      ガイド収納切欠
１７      被捺印面
【図１】
2005238536.tif 000003
【図２】
2005238536.tif 000004
【図３】
2005238536.tif 000005
【図４】
2005238536.tif 000006
【図５】
2005238536.tif 000007
【図６】
2005238536.tif 000008
【図７】
2005238536.tif 000009
【図８】
2005238536.tif 000010